(57)【要約】【課題】複数の記録層を持つ光ディスクの内周側と外周側の特性差や記録層が変化した際の記録特性変化に対し記録条件を最適化でき、良好な記録特性を得ることができる光ディスクへのデータ記録方法及びその装置を提供する。【解決手段】光ディスク200の各記録層毎にＯＰＣにより記録条件の最適化を行い、各記録層毎の最適記録条件と所定の関数からなる補正導出条件とを決定して記憶し、データ記録対象となる記録層が第ｋ記録層から第ｋ＋１記録層に移行した直後にデータ記録を行うときには、最適記録条件を用いて調整したレーザ光を照射して、データ記録エリア201に所定量のデータを記録再生して記録状態を検出し、検出結果及び補正導出条件に基づいて最適記録条件を補正した記録条件を求め、補正した記録条件を用いて調整したレーザ光を照射してデータ記録を行う。【選択図】図２
2008041224.tif 000002
【特許請求の範囲】
【請求項１】
複数の記録層を備えると共に各記録層の内周側に試し書きエリアが設けられている多層構造を有するデータ書き込み可能な光ディスクに対して、レーザ光を照射してデータを記録する光ディスクへのデータ記録方法であって、
前記データ記録装置は、
データ記録を行う前に光ディスクの各記録層毎に該記録層の内周側の試し書きエリアにテストデータの記録を行い、該記録したテストデータを再生して、記録条件の最適化を行い、各記録層毎の最適記録条件と所定の関数からなる補正導出条件とを決定して記憶し、
第１記録層にデータ記録を行うときには、該第１記録層の最適記録条件を用いて調整したレーザ光を照射して該第１記録層のデータ記録エリアにデータを記録し、
データ記録対象となる記録層が第ｋ（ｋは１以上の整数）記録層から第ｋ＋１記録層に移行した直後にデータ記録を行うときには、該記録層の最適記録条件を用いて調整したレーザ光を照射して、該記録層のデータ記録エリアに所定量のデータを記録した後、該記録したデータを再生して該データの記録状態を検出し、該検出結果及び前記補正導出条件に基づいて前記最適記録条件を補正した記録条件を求め、該補正した記録条件を用いて調整したレーザ光を照射してデータ記録を行う
ことを特徴とする光ディスクへのデータ記録方法。
【請求項２】
複数の記録層を備えると共に各記録層の内周側に試し書きエリアが設けられている多層構造を有するデータ書き込み可能な光ディスクに対して、光ディスクの内周側データ記録エリアにデータ記録を行うときの記録レーザ光パワーと外周側データ記録エリアにデータ記録を行うときの記録レーザ光パワーとの差に関するパワー差情報を各記録層毎に保持している記憶手段を有するデータ記録装置によりレーザ光を照射してデータを記録する光ディスクへのデータ記録方法であって、
前記データ記録装置は、
データ記録を行う前に光ディスクの各記録層毎に該記録層の内周側の試し書きエリアにテストデータの記録を行い、該記録したテストデータを再生して、記録条件の最適化を行い、各記録層毎の最適記録条件と所定の関数からなる補正導出条件とを決定して記憶し、
第１記録層にデータ記録を行うときには、該第１記録層の最適記録条件を用いて調整したレーザ光を照射して該第１記録層のデータ記録エリアにデータを記録し、
データ記録対象となる記録層が第ｋ（ｋは１以上の整数）記録層から第ｋ＋１記録層に移行した直後にデータ記録を行うときには、該記録層の最適記録条件を前記パワー差情報によって補正した条件を用いて調整したレーザ光を照射して、該記録層のデータ記録エリアに所定量のデータを記録した後、該記録したデータを再生して該データの記録状態を検出し、該検出結果及び前記補正導出条件に基づいて前記最適記録条件を補正した記録条件を求め、該補正した記録条件を用いて調整したレーザ光を照射してデータ記録を行う
ことを特徴とする光ディスクへのデータ記録方法。
【請求項３】
複数の記録層を備えると共に各記録層の内周側に試し書きエリアが設けられている多層構造を有するデータ書き込み可能な光ディスクに対して、レーザ光を照射してデータを記録する光ディスクへのデータ記録方法であって、
前記データ記録装置は、
データ記録を行う前に光ディスクの各記録層毎に該記録層の内周側の試し書きエリアにテストデータの記録を行い、該記録したテストデータを再生して、記録条件の最適化を行い、各記録層毎の最適記録条件と所定の関数からなる補正導出条件とを決定して記憶し、
第１記録層にデータ記録を行うときには、該第１記録層の最適記録条件を用いて調整したレーザ光を照射して該第１記録層のデータ記録エリアにデータを記録し、
データ記録対象となる記録層が第ｋ（ｋは１以上の整数）記録層から第ｋ＋１記録層に移行した直後にデータ記録を行うときには、該記録層の最適記録条件を用いて調整したレーザ光を照射して、該記録層のデータ記録エリアに隣接するデータ記録エリア外の所定エリアに所定量のデータを記録した後、該記録したデータを再生して該データの記録状態を検出し、該検出結果及び前記補正導出条件に基づいて前記最適記録条件を補正した記録条件を求め、該補正した記録条件を用いて調整したレーザ光を照射してデータ記録を行う
ことを特徴とする光ディスクへのデータ記録方法。
【請求項４】
第ｋ＋１記録層における前記データ記録エリア外のエリアは、第ｋ記録層におけるデータの記録方向が内周側から外周側に向けた方向のときはデータ記録エリアの外周側に隣接するエリアであり、第ｋ記録層におけるデータの記録方向が外周側から内周側に向けた方向のときはデータ記録エリアの内周側に隣接するエリアである
ことを特徴とする請求項３に記載の光ディスクへのデータ記録方法。
【請求項５】
記録層変化後の記録状態の検出は、アシンメトリまたはβによる記録レーザ光のパワー過不足の検出と、再生ＲＦ信号のピット前後の位相もしくは振幅量のズレによる記録レーザ光パルスのズレの検出による
ことを特徴とする請求項１乃至請求項３の何れかに記載の光ディスクへのデータ記録方法。
【請求項６】
上記記録パワーの最適調整は、各記録層の内周側の試し書きエリアで求めた記録パワーに対するアシンメトリまたはβの変化量に基づいて行う
ことを特徴とする請求項１乃至請求項３の何れかに記載の光ディスクへのデータ記録方法。
【請求項７】
上記記録パルスの調整は、各記録層の内周側の試し書きエリアで求めたアシンメトリまたはβに対するピット前後の位相または振幅変化量を用いて、検出されたアシンメトリまたはβを最適に調整した際の位相または振幅変化を、前記検出されたピット前後の位相または振幅量より差分して得られたピット前後の位相または振幅量に対して、内周側の試し書きエリアで求めた記録パルス設定に対するピット前後の位相または振幅変化量に基づいて行う
ことを特徴とする請求項１乃至請求項３の何れかに記載の光ディスクへのデータ記録方法。
【請求項８】
前記条件決定手段によって決定した条件を記録ドライブ内のメモリまたはデータ記録対象となる光ディスクに記録する
ことを特徴とする請求項１乃至請求項３の何れかに記載の光ディスクへのデータ記録方法。
【請求項９】
複数の記録層を備えると共に各記録層の内周側に試し書きエリアが設けられている多層構造を有するデータ書き込み可能な光ディスクに対してレーザ光を照射してデータを記録する光ディスクへのデータ記録装置であって、
データ記録を行う前に光ディスクの各記録層毎に該記録層の内周側の試し書きエリアにテストデータの記録を行い、該記録したテストデータを再生して、記録条件の最適化を行い、各記録層毎の最適記録条件と所定の関数からなる補正導出条件とを決定して記憶する条件決定手段と、
データ記録対象となる記録層が第ｋ（ｋは１以上の整数）記録層から第ｋ＋１記録層に移行した直後にデータ記録を行うときに、該記録層の最適記録条件を用いて調整したレーザ光を光ディスクに照射して、該記録層のデータ記録エリアに所定量のデータを記録した後、該記録したデータを再生して該データの記録状態を検出し、該検出結果及び前記補正導出条件に基づいて前記最適記録条件を補正した記録条件を求め、該補正した記録条件を用いて調整したレーザ光を前記光ディスクに照射してデータ記録を行うデータ記録手段とを備えている
ことを特徴とする光ディスクへのデータ記録装置。
【請求項１０】
複数の記録層を備えると共に各記録層の内周側に試し書きエリアが設けられている多層構造を有するデータ書き込み可能な光ディスクに対してレーザ光を照射してデータを記録する光ディスクへのデータ記録装置であって、
光ディスクの内周側データ記録エリアにデータ記録を行うときの記録レーザ光パワーと外周側データ記録エリアにデータ記録を行うときの記録レーザ光パワーとの差に関するパワー差情報を各記録層毎に保持している記憶手段と、
データ記録を行う前に光ディスクの各記録層毎に該記録層の内周側の試し書きエリアにテストデータの記録を行い、該記録したテストデータを再生して、記録条件の最適化を行い、各記録層毎の最適記録条件と所定の関数からなる補正導出条件とを決定して記憶する条件決定手段と、
データ記録対象となる記録層が第ｋ（ｋは１以上の整数）記録層から第ｋ＋１記録層に移行した直後にデータ記録を行うときに、該記録層の最適記録条件を前記パワー差情報によって補正した条件を用いて調整したレーザ光を照射して、該記録層のデータ記録エリアに所定量のデータを記録した後、該記録したデータを再生して該データの記録状態を検出し、該検出結果及び前記補正導出条件に基づいて前記最適記録条件を補正した記録条件を求め、該補正した記録条件を用いて調整したレーザ光を照射してデータ記録を行うデータ記録手段とを備えている
ことを特徴とする光ディスクへのデータ記録装置。
【請求項１１】
複数の記録層を備えると共に各記録層の内周側に試し書きエリアが設けられている多層構造を有するデータ書き込み可能な光ディスクに対してレーザ光を照射してデータを記録する光ディスクへのデータ記録装置であって、
データ記録を行う前に光ディスクの各記録層毎に該記録層の内周側の試し書きエリアにテストデータの記録を行い、該記録したテストデータを再生して、記録条件の最適化を行い、各記録層毎の最適記録条件と所定の関数からなる補正導出条件とを決定して記憶する条件決定手段と、
データ記録対象となる記録層が第ｋ（ｋは１以上の整数）記録層から第ｋ＋１記録層に移行した直後にデータ記録を行うときに、該記録層の最適記録条件を用いて調整したレーザ光を照射して、該記録層のデータ記録エリアに隣接するデータ記録エリア外の所定エリアに所定量のデータを記録した後、該記録したデータを再生して該データの記録状態を検出し、該検出結果及び前記補正導出条件に基づいて前記最適記録条件を補正した記録条件を求め、該補正した記録条件を用いて調整したレーザ光を照射してデータ記録を行うデータ記録手段とを備えている
ことを特徴とする光ディスクへのデータ記録装置。
【発明の詳細な説明】
【技術分野】
【０００１】
本発明は、光ディスクに対してレーザ光を照射してデータを記録する光ディスクへのデータ記録方法及びその装置に関するものである。
【背景技術】
【０００２】
従来、光ディスクにデータの記録を行う際には、光ディスク媒体やディスクドライブ装置のばらつきによる記録特性の悪化を低減するために記録レーザ光パワー最適化（ＯＰＣ：Optimun Power Control ，以下ＯＰＣと称する）を行い、記録ストラテジ（パルス、パワー）の調整を行った後、データ記録を行っている。
【０００３】
複数の記録層を持つ光ディスクにおいては、内周側から外周側へデータ記録を行う記録層と、外周側から内周側へデータ記録を行う記録層とを有するオポジットトラックパス方式の光ディスクが存在する。このようのオポジットトラックパス方式の光ディスクでは、光ディスクの内周に存在する試し書きエリア、すなわち周知のパワーキャリブレーションエリア（ＰＣＡ：Power Calibration Area，以下、ＰＣＡと称する）で記録ストラテジの調整を行った後にデータ記録を行うと、光ディスクの内外差により、外周側から内周側へデータ記録を行う記録層で最適な記録を実行できないことがあった。
【０００４】
このため、特開２００５−２７６３９０号公報に開示される光ディスク媒体では試し書きエリアを各記録層における記録開始位置側に設けている。すなわち、光ディスクの内周側と外周側にＰＣＡを備えて、内周側から外周側へデータ記録を行う記録層のときには内周側のＰＣＡにてＯＰＣを行った後データ記録を行い、外周側から内周側へデータ記録を行う記録層のときには外周側のＰＣＡにてＯＰＣを行った後にデータ記録を行えるようにしている。
【０００５】
このように、各記録層においては必ず記録開始位置側にＰＣＡが設けられているため、常に記録開始位置に近い場所でＯＰＣを行ってレーザ光のパワーを決定することができるので、適切な初期パワーを設定してデータ記録を行うことができる。
【特許文献１】特開２００５−２７６３９０号公報
【発明の開示】
【発明が解決しようとする課題】
【０００６】
しかしながら、前述した従来の光ディスクへのデータ記録方法では、外周側のＰＣＡは光メディアの最外周部に存在するため、ゴミや指紋あるいは付着物を受けやすく、かつ光ディスク媒体のバラツキも大きいため、精度よくＯＰＣ動作が実行できないことも多々発生するといった問題が生じる。
【０００７】
本発明は前記問題点に鑑みてなされたものであり、その目的とするところは、複数の記録層を持つ光ディスクの内周側と外周側の特性差や記録層が変化した際の記録特性変化に対し記録条件を最適化でき、良好な記録特性を得ることができる光ディスクへのでーた記録方法及びその装置を提供することにある。
【課題を解決するための手段】
【０００８】
本発明は前記目的を達成するために、複数の記録層を備えると共に各記録層の内周側に試し書きエリアが設けられている多層構造を有するデータ書き込み可能な光ディスクに対して、レーザ光を照射してデータを記録する光ディスクへのデータ記録方法であって、前記データ記録装置は、データ記録を行う前に光ディスクの各記録層毎に該記録層の内周側の試し書きエリアにテストデータの記録を行い、該記録したテストデータを再生して、記録条件の最適化を行い、各記録層毎の最適記録条件と所定の関数からなる補正導出条件とを決定して記憶し、第１記録層にデータ記録を行うときには、該第１記録層の最適記録条件を用いて調整したレーザ光を照射して該第１記録層のデータ記録エリアにデータを記録し、データ記録対象となる記録層が第ｋ（ｋは１以上の整数）記録層から第ｋ＋１記録層に移行した直後にデータ記録を行うときには、該記録層の最適記録条件を用いて調整したレーザ光を照射して、該記録層のデータ記録エリアに所定量のデータを記録した後、該記録したデータを再生して該データの記録状態を検出し、該検出結果及び前記補正導出条件に基づいて前記最適記録条件を補正した記録条件を求め、該補正した記録条件を用いて調整したレーザ光を照射してデータ記録を行う光ディスクへのデータ記録方法を提案する。
【０００９】
本発明の光ディスクへのデータ記録方法によれば、データ記録を行う前に光ディスクの各記録層毎に該記録層の内周側の試し書きエリアにテストデータの記録が行われ、該記録したテストデータが再生されて、記録条件の最適化が行われ、各記録層毎の最適記録条件と所定の関数からなる補正導出条件が決定されて記憶される。
【００１０】
さらに、第１記録層にデータ記録を行うときには、該第１記録層の最適記録条件を用いて調整したレーザ光が光ディスクに照射されて該第１記録層のデータ記録エリアにデータが記録される。また、データ記録対象となる記録層が第ｋ記録層から第ｋ＋１記録層に移行した直後にデータ記録を行うときには、該記録層の最適記録条件を用いて調整されたレーザ光が光ディスクに照射されて、該記録層のデータ記録エリアに所定量のデータが記録される。この後、該記録されたデータが再生されて該データの記録状態が検出され、該検出結果及び前記補正導出条件に基づいて前記最適記録条件を補正した記録条件が求められ、該補正した記録条件を用いて調整されたレーザ光が光ディスクに照射されてデータ記録が行われる。
【００１１】
また、本発明は前記目的を達成するために、複数の記録層を備えると共に各記録層の内周側に試し書きエリアが設けられている多層構造を有するデータ書き込み可能な光ディスクに対して、光ディスクの内周側データ記録エリアにデータ記録を行うときの記録レーザ光パワーと外周側データ記録エリアにデータ記録を行うときの記録レーザ光パワーとの差に関するパワー差情報を各記録層毎に保持している記憶手段を有するデータ記録装置によりレーザ光を照射してデータを記録する光ディスクへのデータ記録方法であって、前記データ記録装置は、データ記録を行う前に光ディスクの各記録層毎に該記録層の内周側の試し書きエリアにテストデータの記録を行い、該記録したテストデータを再生して、記録条件の最適化を行い、各記録層毎の最適記録条件と所定の関数からなる補正導出条件とを決定して記憶し、第１記録層にデータ記録を行うときには、該第１記録層の最適記録条件を用いて調整したレーザ光を照射して該第１記録層のデータ記録エリアにデータを記録し、データ記録対象となる記録層が第ｋ（ｋは１以上の整数）記録層から第ｋ＋１記録層に移行した直後にデータ記録を行うときには、該記録層の最適記録条件を前記パワー差情報によって補正した条件を用いて調整したレーザ光を照射して、該記録層のデータ記録エリアに所定量のデータを記録した後、該記録したデータを再生して該データの記録状態を検出し、該検出結果及び前記補正導出条件に基づいて前記最適記録条件を補正した記録条件を求め、該補正した記録条件を用いて調整したレーザ光を照射してデータ記録を行う光ディスクへのデータ記録方法を提案する。
【００１２】
本発明の光ディスクへのデータ記録方法によれば、データ記録を行う前に光ディスクの各記録層毎に該記録層の内周側の試し書きエリアにテストデータの記録が行われ、該記録したテストデータが再生されて、記録条件の最適化が行われて、各記録層毎の最適記録条件と所定の関数からなる補正導出条件が決定されて記憶される。
【００１３】
さらに、第１記録層にデータ記録を行うときには、該第１記録層の最適記録条件を用いて調整されたレーザ光が光ディスクに照射されて該第１記録層のデータ記録エリアにデータが記録される。また、データ記録対象となる記録層が第ｋ記録層から第ｋ＋１記録層に移行した直後にデータ記録を行うときには、該記録層の最適記録条件を前記パワー差情報によって補正した条件を用いて調整されたレーザ光が光ディスクに照射されて、該記録層のデータ記録エリアに所定量のデータが記録される。この後、該記録されたデータが再生されて該データの記録状態が検出され、該検出結果及び前記補正導出条件に基づいて前記最適記録条件が補正された記録条件が求められ、該補正した記録条件を用いて調整されたレーザ光が光ディスクに照射されてデータ記録が行われる。
【００１４】
また、本発明は前記目的を達成するために、複数の記録層を備えると共に各記録層の内周側に試し書きエリアが設けられている多層構造を有するデータ書き込み可能な光ディスクに対して、レーザ光を照射してデータを記録する光ディスクへのデータ記録方法であって、前記データ記録装置は、データ記録を行う前に光ディスクの各記録層毎に該記録層の内周側の試し書きエリアにテストデータの記録を行い、該記録したテストデータを再生して、記録条件の最適化を行い、各記録層毎の最適記録条件と所定の関数からなる補正導出条件とを決定して記憶し、第１記録層にデータ記録を行うときには、該第１記録層の最適記録条件を用いて調整したレーザ光を照射して該第１記録層のデータ記録エリアにデータを記録し、データ記録対象となる記録層が第ｋ（ｋは１以上の整数）記録層から第ｋ＋１記録層に移行した直後にデータ記録を行うときには、該記録層の最適記録条件を用いて調整したレーザ光を照射して、該記録層のデータ記録エリアに隣接するデータ記録エリア外の所定エリアに所定量のデータを記録した後、該記録したデータを再生して該データの記録状態を検出し、該検出結果及び前記補正導出条件に基づいて前記最適記録条件を補正した記録条件を求め、該補正した記録条件を用いて調整したレーザ光を照射してデータ記録を行う光ディスクへのデータ記録方法を提案する。
【００１５】
本発明の光ディスクへのデータ記録方法によれば、データ記録を行う前に光ディスクの各記録層毎に該記録層の内周側の試し書きエリアにテストデータの記録が行われ、該記録したテストデータが再生されて、記録条件の最適化が行われ、各記録層毎の最適記録条件と所定の関数からなる補正導出条件が決定されて記憶される。
【００１６】
さらに、第１記録層にデータ記録を行うときには、該第１記録層の最適記録条件を用いて調整されたレーザ光が光ディスクに照射されて該第１記録層のデータ記録エリアにデータが記録される。また、データ記録対象となる記録層が第ｋ記録層から第ｋ＋１記録層に移行した直後にデータ記録を行うときには、該記録層の最適記録条件を用いて調整されたレーザ光が光ディスクに照射されて、該記録層のデータ記録エリアに隣接するデータ記録エリア外の所定エリアに所定量のデータが記録される。この後、該記録したデータが再生されて該データの記録状態が検出され、該検出結果及び前記補正導出条件に基づいて前記最適記録条件が補正された記録条件が求められ、該補正した記録条件を用いて調整されたレーザ光が光ディスクに照射されてデータ記録が行われる。
【００１７】
また、本発明は前記目的を達成するために、複数の記録層を備えると共に各記録層の内周側に試し書きエリアが設けられている多層構造を有するデータ書き込み可能な光ディスクに対してレーザ光を照射してデータを記録する光ディスクへのデータ記録装置であって、データ記録を行う前に光ディスクの各記録層毎に該記録層の内周側の試し書きエリアにテストデータの記録を行い、該記録したテストデータを再生して、記録条件の最適化を行い、各記録層毎の最適記録条件と所定の関数からなる補正導出条件とを決定して記憶する条件決定手段と、データ記録対象となる記録層が第ｋ（ｋは１以上の整数）記録層から第ｋ＋１記録層に移行した直後にデータ記録を行うときに、該記録層の最適記録条件を用いて調整したレーザ光を光ディスクに照射して、該記録層のデータ記録エリアに所定量のデータを記録した後、該記録したデータを再生して該データの記録状態を検出し、該検出結果及び前記補正導出条件に基づいて前記最適記録条件を補正した記録条件を求め、該補正した記録条件を用いて調整したレーザ光を前記光ディスクに照射してデータ記録を行うデータ記録手段とを備えている光ディスクへのデータ記録装置を提案する。
【００１８】
また、本発明は前記目的を達成するために、複数の記録層を備えると共に各記録層の内周側に試し書きエリアが設けられている多層構造を有するデータ書き込み可能な光ディスクに対してレーザ光を照射してデータを記録する光ディスクへのデータ記録装置であって、光ディスクの内周側データ記録エリアにデータ記録を行うときの記録レーザ光パワーと外周側データ記録エリアにデータ記録を行うときの記録レーザ光パワーとの差に関するパワー差情報を各記録層毎に保持している記憶手段と、データ記録を行う前に光ディスクの各記録層毎に該記録層の内周側の試し書きエリアにテストデータの記録を行い、該記録したテストデータを再生して、記録条件の最適化を行い、各記録層毎の最適記録条件と所定の関数からなる補正導出条件とを決定して記憶する条件決定手段と、データ記録対象となる記録層が第ｋ（ｋは１以上の整数）記録層から第ｋ＋１記録層に移行した直後にデータ記録を行うときに、該記録層の最適記録条件を前記パワー差情報によって補正した条件を用いて調整したレーザ光を照射して、該記録層のデータ記録エリアに所定量のデータを記録した後、該記録したデータを再生して該データの記録状態を検出し、該検出結果及び前記補正導出条件に基づいて前記最適記録条件を補正した記録条件を求め、該補正した記録条件を用いて調整したレーザ光を照射してデータ記録を行うデータ記録手段とを備えている光ディスクへのデータ記録装置を提案する。
【００１９】
また、本発明は前記目的を達成するために、複数の記録層を備えると共に各記録層の内周側に試し書きエリアが設けられている多層構造を有するデータ書き込み可能な光ディスクに対してレーザ光を照射してデータを記録する光ディスクへのデータ記録装置であって、データ記録を行う前に光ディスクの各記録層毎に該記録層の内周側の試し書きエリアにテストデータの記録を行い、該記録したテストデータを再生して、記録条件の最適化を行い、各記録層毎の最適記録条件と所定の関数からなる補正導出条件とを決定して記憶する条件決定手段と、データ記録対象となる記録層が第ｋ（ｋは１以上の整数）記録層から第ｋ＋１記録層に移行した直後にデータ記録を行うときに、該記録層の最適記録条件を用いて調整したレーザ光を照射して、該記録層のデータ記録エリアに隣接するデータ記録エリア外の所定エリアに所定量のデータを記録した後、該記録したデータを再生して該データの記録状態を検出し、該検出結果及び前記補正導出条件に基づいて前記最適記録条件を補正した記録条件を求め、該補正した記録条件を用いて調整したレーザ光を照射してデータ記録を行うデータ記録手段とを備えている光ディスクへのデータ記録装置を提案する。
【発明の効果】
【００２０】
本発明の光ディスクへのデータ記録方法及びその装置によれば、データ記録中に他の記録層に移動した場合も、ゴミや指紋あるいは付着物を受けやすい外周側のＰＣＡを使用することなく記録条件を最適調整可能となると共に、複数の記録層を持つ光ディスクの内外特性差や記録層が変化した際の記録特性変化に対し記録条件を最適化できるので、良好な記録特性を得ることができる。
【発明を実施するための最良の形態】
【００２１】
以下、本発明の一実施形態を図面を参照して詳細に説明する。
【実施例１】
【００２２】
図１は本発明の一実施形態における光ディスクへのデータ記録装置の構成及び光ディスクを示す図である。図において、200は光ディスクで、周知のＤＶＤ、ＨＤ−ＤＶＤ、Ｂｌｕ−ｒａｙディスク等の２層以上の記録層を有する多層の光ディスクである。
【００２３】
100は光ディスク200へのデータ記録装置で、光ピックアップ110と、レーザダイオード（以下、ＬＤと称する）ドライバ121、スライサ122、復調回路123、特性値検出部124、ワンチップＣＰＵ素子（以下、ＣＰＵと称する）125、メモリ127、インタフェース（以下、Ｉ／Ｆと称する）128、光ピックアップ駆動制御回路129とを備えている。尚、ここでは、本発明に特に関係する構成部分のみを記載して説明する。
【００２４】
また、光情報記録装置100には、パーソナルコンピュータやディスプレイ等からなる表示部131とキーボード等からなる操作部132が接続されている。
【００２５】
光ピックアップ110は、レーザダイオード（以下、ＬＤと称する）111と、フォトディテクタ（以下、ＰＤと称する）112、コリメートレンズ113、対物レンズ114、検出レンズ115、ビームスプリッタ116を有している。ＬＤ111から射出されたレーザ光はコリメートレンズ113とビームスプリッタ116と対物レンズ114を透過して光ディスク200に照射される。また、光ディスク200によって反射されたレーザ光は対物レンズ114を透過した後にビームスプリッタ116によって反射され、検出レンズ115を介してＰＤ112に入射される。ＰＤ112は入射した光の光量に対応した値の電流を出力する。
【００２６】
ＬＤドライバ121はＣＰＵ素子125から入力した記録信号に基づいてＬＤ111に駆動電流を供給してＬＤ111を発光させる。
【００２７】
スライサ122は、ＰＤ112から出力電流を所定の閾値でスライスして２値化電圧信号に変換して出力する。
【００２８】
復調回路123は、スライサ122から出力される符号化されている２値化信号を復調してＣＰＵ125に出力する回路であり、例えば、スライサ122から出力された２値化電圧信号である３Ｔ〜１１Ｔのパルス幅でＥＦＭ変調されて符号化された信号を復調したディジタル信号をＣＰＵ125に出力する。
【００２９】
特性値検出部124は、ＰＤ112から出力された電流信号を入力し、この電流値に基づいて光ディスク200からの反射光からＲＦ信号を再生し、このＲＦ信号から特性値を検出してディジタル情報としてＣＰＵ125に出力する。この反射光から検出する特性値としては、トラッキングサーボ状態のときのＲＦ信号の最小ピット振幅値及び最大ピット振幅値を含み、その他の特性値としては周知の特性値、例えば、記録レーザパワーや記録パルス条件に依存し、且つ記録パルス条件を最適化するのに相応しい特性値であるβ、アシンメトリ(Asymmetry)、位相、振幅等を検出している。
【００３０】
ＣＰＵ125は、周知のワンチップＣＰＵ素子で、内部にＣＰＵを動作させるためのコンピュータプログラムが格納されているメモリ回路125aと、検出値演算部125b、最適化判断部125c、ストラテジ決定部125dを備えている。また、ＣＰＵ125は、駆動機構部（図示せず）を制御して光ピックアップ110の位置、トラッキング、フォーカスの調整及び光ディスク200の回転駆動制御を行うと共に、メモリ127に蓄積されているデータテーブルに基づいて外部から入力された情報を光ディスク200に記録する（書き込む）、或いは光ディスク200に記録されている情報を読み出して外部装置に出力する。また、光ディスク200への情報記録時におけるテストを行い最適なレーザ光条件を求めて、情報の記録を行えるようにしている。
【００３１】
メモリ127は、ＣＰＵ125に接続され、内部にはストラテジテーブルとして多種類の光ディスクに対応したデータがデータテーブルに記録されている。
【００３２】
Ｉ／Ｆ128はＣＰＵと外部の表示部131及び操作部132を接続するためのインタフェースであると共に、外部装置とＣＰＵ125との間の記録・再生情報の転送を行う。
【００３３】
光ピックアップ駆動制御回路129は、ＣＰＵ125からの制御指示を受けて、光ピックアップ110の駆動を制御する。この駆動制御には、トラッキング制御、フォーカス制御、チルト制御等を含む。
【００３４】
上記構成では、ＬＤ111から出力されたレーザ光を用いて、光ディスク200に対する情報の記録再生を行い、パーソナルコンピュータ（ＰＣ）等の外部装置との間で情報の送受信を行う。
【００３５】
光ディスク200に対して情報の記録を行う場合は、記録情報を符号化し、この符号化した記録情報をＣＰＵ125で処理することで、光ディスク200に対する記録条件となるストラデジを決定し、このストラテジをＬＤドライバ121で記録パルスに変換し、この記録パルスに基づいてパルス化されたレーザ光をＬＤ111から出力する。
【００３６】
ＬＤドライバ121は、入力された記録パルスに基づいてＬＤ111を駆動し、ＬＤ111はこの記録パルスに対応して出力レーザ光を制御し、この制御されたレーザ光をコリメートレンズ113、ビームスプリッタ116、対物レンズ114を介して、線速度一定若しくは回転速度一定で回転する光ディスク200に照射し、これにより光ディスク200に、所望の記録情報に対応したピットとスペース（ランド）列からなる記録パターンが記録される。
【００３７】
また、光ディスク200に情報を記録する際には、周知のように光ディスク200のテスト領域にテスト情報の記録及びその再生を行って最適なレーザ光の照射条件を決定する。
【００３８】
光ディスク200は、図２に示すように複数の記録層、例えばレーザ光入射側の第１記録層乃至第Ｎ記録層を有し、各記録層の中央部分にデータ記録エリア201が設けられている。また、各記録層の内周側と外周側のそれぞれにＰＣＡが設けられている。
【００３９】
さらに、第１記録層には内周側ＰＣＡとデータ記録エリア201との間にリードインエリア202が設けられ、外周側ＰＣＡとデータ記録エリア201との間にはデータ記録エリア201に隣接してミドルエリア204が設けられている。
【００４０】
最終層である第Ｎ記録層には内周側ＰＣＡとデータ記録エリア201との間にリードアウトエリア2032が設けられ、外周側ＰＣＡとデータ記録エリア201との間にはデータ記録エリア201に隣接してミドルエリア204が設けられている。
【００４１】
その他の記録層には内周側ＰＣＡとデータ記録エリア201との間にデータ記録エリア201に隣接してミドルエリア204が設けられていると共に、外周側ＰＣＡとデータ記録エリア201との間にデータ記録エリア201に隣接してミドルエリア204が設けられている。
【００４２】
尚、第１記録層を含む奇数番目の記録層には内周側から外周側に向かってデータ記録が行われ、偶数番目の記録層には外周側から内周側に向かってデータ記録が行われる。
【００４３】
以下に、本実施例における光ディスクへのデータ記録動作に関して図３に示すフローチャートを参照して詳細に説明する。ここではｋ(ｋ≧1)の記録層を持つ光ディスクへデータ記録を行う際の記録レーザ光の最適化方法を説明する。
【００４４】
光ディスク200にデータ記録を行う際には、データを記録する前に各記録層においてＯＰＣを行い最適記録条件を求めて記録レーザ光の最適化を行うと共に（ＳＡ１）、各記録層における補正導出条件を求めて、最適記録条件と補正導出条件をメモリ127に記憶する（ＳＡ２）。
【００４５】
（各記録層におけるＯＰＣ）
各記録層におけるＯＰＣでは、内周側のＰＣＡのみを使用してテストデータの記録再生を行い、記録状態を検出し、この検出結果に基づいて記録レーザ光のパワー調整とパルス調整を行う。
【００４６】
記録レーザ光のパワー調整では、内周側ＰＣＡにおいて基準となる記録パルス出射タイミング設定（以下、ストラテジと称する）を用いて記録レーザ光のパワーを変化させて記録し、記録レーザ光の最適パワーを求めると同時に記録パワー設定に対するアシンメトリまたはβの変化傾向関数を取得する。例えば、図４に示すように、記録パワー設定に対するアシンメトリの変化傾向関数ｙ1は、ｙ1＝Ａp×x＋Ｂpで表される。このとき、目標アシンメトリ＝０とした場合、記録レーザ光の最適パワーは  （０−Ｂｐ）／Ａｐ  より算出される。ここで、ｙ1はアシンメトリ値、ｘは記録パワー値、Ａp及びＢpは定数である。
【００４７】
上記アシンメトリの値は、ＤＶＤの場合図５に示すＲＦ信号における３Ｔピットの振幅値I3L、３Ｔランドの振幅値I3H、１４Ｔピットの振幅値I14L、１４Ｔランドの振幅値I14Hを用いて次の式によって表される。
【００４８】
アシンメトリ値＝[(I14H+I14L)-(I3H+I3L)]/[2×(I14H-I14L)]
また、βの値は、図６に示すＲＦ信号における正側の最大振幅値Ａと負側の最大振幅値Ｂを用いて次の式によって表される。
【００４９】
β値＝（Ａ−Ｂ）／（Ａ＋Ｂ）
同時に記録レーザ光のパワーを変化させた際の各記録パワーにおけるピット位相値もしくは振幅値を検出し、上記により検出したアシンメトリまたはβとピット位相検出値もしくは振幅値の変化傾向関数を取得する。例えば、図７及び図８に示すように、アシンメトリに対するピット位相値ｙ2あるいはアシンメトリに対する振幅値ｙ2は、ｙ2＝Ａq×x＋Ｂqで表される。ここで、ｙ2はピット位相値あるいは振幅値、ｘはアシンメトリ値、Ａq及びＢqは定数である。また、記録パルスの位相とピット位相との関係は図９に示すようになり、記録パルスの位相ズレは図１０に示すようにPitxT、LandyT、PitzTが連続するパターンにおいてPitxTとLandyTの長さを固定してPitzTの長さを変化させる複数のPitzTを形成する記録パルス長にて光ディスク上にピットを形成し、これを再生したそのときのLandyTの長さを測定し、この測定結果の相対関係よりピットの立ち上がり部における記録パルスの位相ズレ量（ここではＦＰＳ）を検出している。立ち下がり部の場合も同様である。
【００５０】
上記のようにして得られた最適パワーにて基準ストラテジの前後位相を変化させ、図１１及び図１２に示すようにストラテジ位相設定に対するピット位相もしくは振幅値の変化関数ｙ3＝Ａr×ｘ＋Ｂrを取得する。ここで、ｙ3はピット位相値あるいは振幅値、ｘはストラテジ位相設定値、Ａr及びＢrは定数である。
【００５１】
また、得られた関数より最適なストラテジ位相設定を求める。ピット位相目標値を０とした場合、ストラテジ位相設定値は（０−Ｂr）／Ａrより算出される。
【００５２】
次に、補正導出条件を求めてメモリ127に記憶する（ＳＡ２）。この補正導出条件としては、パワー補正、ピット位相補正、ストラテジ位相補正に関する補正導出条件を次のように求める。
【００５３】
（パワー補正）
図１３に示すように、アシンメトリと記録パワーとの関係はｙ4＝Ａp×ｘ＋Ｂpで表される。ここで、ｙ4はアシンメトリ値、ｘは記録パワー値、Ａp及びＢpは定数である。アシンメトリ目標値＝０に対して最終記録部分のアシンメトリ＝Ｙpであるため、（０−Ｙp）／Ａpから現状のアシンメトリのズレに対する補正パワーが算出される。補正後の記録パワーはＸp＋（０−Ｙp）／Ａpによって算出される。この演算式がパワー補正における補正導出条件となる。
【００５４】
（ピット位相補正）
図１４に示すように、ピット位相とアシンメトリとの関係はｙ5＝Ａq×ｘ＋Ｂqで表される。ここで、ｙ5はピット位相値、ｘはアシンメトリ値、Ａq及びＢqは定数である。ピット位相は、ストラテジ位相設定を変更して補正するが、同時にパワー補正を行うため、パワー補による ピット位相変動量を算出する。最終記録部分のアシンメトリ値＝Ｙpを目標アシンメトリ値＝０まで変化させるためアシンメトリ変動量は（０−Ｙp）となる。βの変動によるピット位相変動量はＡq×（０−Ｙp）により算出される。また、検出されたピット位相値＝Ｙrであるため、ストラテジ位相設定により調整すべきピット位相量はＹr＋Ａq×（０−Ｙp）により算出される。これらの演算式がピット位相補正における補正導出条件となる。
【００５５】
（ストラテジ位相補正）
図１５に示すように、ピット位相とストラテジ位相設定との関係はｙ6＝Ａr×ｘ＋Ｂrで表される。ここで、ｙ6はピット位相値、ｘはストラテジ位相設定値、Ａr及びＢrは定数である。上記ピット位相補正により求められた調整すべきピット位相量＝Ｙr＋Ａq×（０−Ｙp）から、ストラテジ位相補正量＝｛Ｙr＋Ａq×（０−Ｙp）｝／Ａrとなり、ストラテジ位相設定値はＸr＋｛Ｙr＋Ａq＊（０−Ｙp）｝／Ａrにより算出される。この演算式がストラテジ位相補正における補正導出条件となる。
【００５６】
上記のように補正導出条件を求めた後、変数ｋを１に設定して（ＳＡ３）、上記ＯＰＣによる記録条件調整を完了して得られた最適パワー及びストラテジにて複数の記録層を持つ光ディスクの第ｋ記録層のデータ記録エリア201にユーザーデータを記録する（ＳＡ４）。
【００５７】
第ｋ記録層のデータ記録エリア201へのデータ記録が完了したら、第ｋ記録層から第ｋ＋１記録層にジャンプし（ＳＡ５）、第ｋ＋１記録層のデータ記録エリア201に所定量のデータを記録する（ＳＡ６）。ここで、第ｋ記録層と第ｋ＋１記録層ではデータの記録方向が逆方向であるため、第ｋ＋１記録層のデータ記録エリア201において最初にデータを記録する位置は、第ｋ記録層のデータ記録エリア201において最後にデータを記録した位置に最も近い位置となる。
【００５８】
次に、上記記録したデータを再生し（ＳＡ７）、再生結果に基づいて記録レーザ光を上記補正導出条件を用いて補正する（ＳＡ８）。この補正を行った記録レーザ光を用いて第ｋ＋１記録層のデータ記録エリア201にデータ記録を行う（ＳＡ９）。
【００５９】
次に、全てのデータを記録したか否かを判定し（ＳＡ１０）、データの記録が完了せず且つ第ｋ＋１記録層のデータ記録エリアへのデータ記録が完了したときは、変数ｋに１を加算して（ＳＡ１１）、上記ＳＡ５の処理に移行する。また、全てのデータ記録が完了したときは、データ記録処理を終了する。
【００６０】
上記の光ディスクへのデータ記録方法及びその装置によれば、データ記録中に他の記録層に移動した場合も、ゴミや指紋あるいは付着物を受けやすい外周側のＰＣＡを使用することなく記録条件を最適調整可能となると共に、複数の記録層を持つ光ディスクの内外特性差や記録層が変化した際の記録特性変化に対し記録条件を最適化できるので、良好な記録特性を得ることができる。
【００６１】
尚、光ディスク200として周知のＤＶＤを用いたときは、ＯＰＣによりパワー調整とパルス調整を行うと共に、他の記録層に移動した際にβまたはアシンメトリを検出してパワー補正を行い、前後位相ずれ量を検出してパルス補正を行えばよい。また、光ディスク200として周知のＨＤ−ＤＶＤ或いはＢｌｕ−ｒａｙを用いたときは、ＯＰＣによりパワー調整とパルス調整を行うと共に、他の記録層に移動した際にアシンメトリを検出してパワー補正を行い、記録パターンに応じた振幅ずれ量を検出してパルス補正を行えばよい。
【００６２】
また、本実施例では最適記録条件と補正導出条件をメモリ127に記憶するようにしたが、光ディスク200に記録しておいて用いるようにしても良い。
【実施例２】
【００６３】
次に、本実施形態における実施例２を説明する。
【００６４】
実施例２における装置構成は前述した実施例１とほぼ同様であり、異なる点はメモリ127に予め測定して求めた内外感度差テーブルを記憶させておき、補正時においてこの内外感度差テーブルを用いていることである。
【００６５】
即ち、実施例２では、図１６のフローチャートに示すように光ディスクへのデータ記録処理を行っている。また、メモリ127には図１７又は図１８に示す内外感度差テーブルが格納されている。図１７に示す内外感度差テーブルには各記録層ごとに内周側の最適レーザ光パワーＰＷαと外周側の最適レーザ光パワーＰＷβ並びにこれらの比の値ＰＷα／ＰＷβの情報が格納されている。また、図１８に示す内外感度差テーブルには各記録層ごとに内周側の最適レーザ光パワーＰＷαと外周側の最適レーザ光パワーＰＷβ並びにこれらの差の値（ＰＷα−ＰＷβ）の情報が格納されている。
【００６６】
以下に、本実施形態における光ディスクへのデータ記録動作に関して図１６に示すフローチャートを参照して詳細に説明する。ここではｋ(ｋ≧1)の記録層を持つ光ディスクへデータ記録を行う際の記録レーザ光の最適化方法を説明する。
【００６７】
光ディスク200にデータ記録を行う際には、実施例１と同様にして、データを記録する前に各記録層においてＯＰＣを行い最適記録条件を求めて記録レーザ光の最適化を行うと共に（ＳＢ１）、各記録層における補正導出条件を求めて、最適記録条件と補正導出条件をメモリ127に記憶する（ＳＢ２）。
【００６８】
補正導出条件を求めた後、変数ｋを１に設定して（ＳＢ３）、上記ＯＰＣによる記録条件調整を完了して得られた最適パワー及びストラテジにて複数の記録層を持つ光ディスクの第ｋ記録層のデータ記録エリア201にユーザーデータを記録する（ＳＢ４）。
【００６９】
第ｋ記録層のデータ記録エリア201へのデータ記録が完了したら、第ｋ記録層から第ｋ＋１記録層にジャンプし（ＳＢ５）、上記内外感度差テーブルの情報に基づいて記録レーザ光の補正を行う（ＳＢ６）。
【００７０】
この後、補正した記録レーザ光を用いて第ｋ＋１記録層のデータ記録エリア201に所定量のデータを記録する（ＳＢ７）。ここで、第ｋ記録層と第ｋ＋１記録層ではデータの記録方向が逆方向であるため、第ｋ＋１記録層のデータ記録エリア201において最初にデータを記録する位置は、第ｋ記録層のデータ記録エリア201において最後にデータを記録した位置に最も近い位置となる。
【００７１】
次に、上記記録したデータを再生し（ＳＢ８）、再生結果に基づいて記録レーザ光を上記補正導出条件を用いて補正する（ＳＢ９）。この補正を行った記録レーザ光を用いて第ｋ＋１記録層のデータ記録エリア201にデータ記録を行う（ＳＢ１０）。
【００７２】
次に、全てのデータを記録したか否かを判定し（ＳＢ１１）、データの記録が完了せず且つ第ｋ＋１記録層のデータ記録エリアへのデータ記録が完了したときは、変数ｋに１を加算して（ＳＢ１２）、上記ＳＢ５の処理に移行する。また、全てのデータ記録が完了したときは、データ記録処理を終了する。
【００７３】
上記の光ディスクへのデータ記録方法及びその装置によれば、データ記録中に他の記録層に移動した場合も、ゴミや指紋あるいは付着物を受けやすい外周側のＰＣＡを使用することなく記録条件を最適調整可能となると共に、複数の記録層を持つ光ディスクの内外特性差や記録層が変化した際の記録特性変化に対し記録条件を最適化できるので、良好な記録特性を得ることができる。
【００７４】
尚、光ディスク200として周知のＤＶＤを用いたときは、ＯＰＣによりパワー調整とパルス調整を行うと共に、他の記録層に移動した際にβまたはアシンメトリを検出してパワー補正を行い、前後位相ずれ量を検出してパルス補正を行えばよい。また、光ディスク200として周知のＨＤ−ＤＶＤ或いはＢｌｕ−ｒａｙを用いたときは、ＯＰＣによりパワー調整とパルス調整を行うと共に、他の記録層に移動した際にアシンメトリを検出してパワー補正を行い、記録パターンに応じた振幅ずれ量を検出してパルス補正を行えばよい。
【００７５】
また、本実施例では最適記録条件と補正導出条件をメモリ127に記憶するようにしたが、光ディスク200に記録しておいて用いるようにしても良い。
【実施例３】
【００７６】
次に、本実施形態における実施例３を説明する。
【００７７】
実施例３における装置構成は前述した実施例１とほぼ同様であり、異なる点は他の記録層に移動した際に移動位置近傍のミドルエリア204を用いてＯＰＣを行った後に上記の補正導出条件を用いてさらに記録レーザ光の補正を行うようにしたことである。
【００７８】
即ち、実施例３では、図１９のフローチャートに示すように光ディスクへのデータ記録処理を行っている。
【００７９】
上記２つの実施例ではともに他の記録層に移動した場合、データ記録エリア201にデータを記録して記録レーザ光の補正を行っていた。層間の記録特性差が少ない場合は、上記２つの実施例で対応可能であるが、他の記録層に移動したときにデータを読み出せないほど記録特性が劣化する場合、データ記録エリア201にデータ記録を行って記録レーザ光を補正するのでは、補正を行う前にデータ記録を失敗する可能性がある。そのため、データ記録エリア201に隣接するミドルエリアを用いてテストデータの記録を行い、第ｋ記録層から第ｋ＋１記録層へ移動した後もミドルエリア204で記録条件補正を行い、補正が完了した後で第ｋ＋１記録層のデータ記録エリア201にデータ記録を行う。
【００８０】
以下に、本実施形態における光ディスクへのデータ記録動作に関して図１９に示すフローチャートを参照して詳細に説明する。ここではｋ(ｋ≧1)の記録層を持つ光ディスクへデータ記録を行う際の記録レーザ光の最適化方法を説明する。
【００８１】
光ディスク200にデータ記録を行う際には、実施例１と同様にして、データを記録する前に各記録層においてＯＰＣを行い最適記録条件を求めて記録レーザ光の最適化を行うと共に（ＳＣ１）、各記録層における補正導出条件を求めて、最適記録条件と補正導出条件をメモリ127に記憶する（ＳＣ２）。
【００８２】
補正導出条件を求めた後、変数ｋを１に設定して（ＳＣ３）、上記ＯＰＣによる記録条件調整を完了して得られた最適パワー及びストラテジにて複数の記録層を持つ光ディスクの第ｋ記録層のデータ記録エリア201にユーザーデータを記録する（ＳＣ４）。
【００８３】
第ｋ記録層のデータ記録エリア201へのデータ記録が完了したら、データ記録エリア201に隣接するミドルエリア204にテストデータを記録して（ＳＣ５）、このデータを再生する（ＳＣ６）ことによりＯＰＣを行い、記録レーザ光の最適化補正を行う。
【００８４】
次に、第ｋ記録層から第ｋ＋１記録層にジャンプし（ＳＣ７）、第ｋ＋１記録層のミドルエリア204にテストデータを記録して（ＳＣ８）、このデータを再生する（ＳＣ９）ことによりＯＰＣを行い、記録レーザ光の最適化補正を行う。ここで用いる第ｋ＋１記録層のミドルエリア204は上記第ｋ記録層で用いたミドルエリア204に重なる位置に存在するエリアである。
【００８５】
この後、上記ＳＣ５，ＳＣ６におけるＯＰＣと上記ＳＣ７，ＳＣ８におけるＯＰＣの結果に基づいて、上記補正導出条件を用いて補正する（ＳＣ１０）。この補正を行った記録レーザ光を用いて第ｋ＋１記録層のデータ記録エリア201にデータ記録を行う（ＳＣ１１）。
【００８６】
次に、全てのデータを記録したか否かを判定し（ＳＣ１２）、データの記録が完了せず且つ第ｋ＋１記録層のデータ記録エリアへのデータ記録が完了したときは、変数ｋに１を加算して（ＳＣ１３）、上記ＳＣ５の処理に移行する。また、全てのデータ記録が完了したときは、データ記録処理を終了する。
【００８７】
上記の光ディスクへのデータ記録方法及びその装置によれば、データ記録中に他の記録層に移動した場合も、ゴミや指紋あるいは付着物を受けやすい外周側のＰＣＡを使用することなく記録条件を最適調整可能となると共に、複数の記録層を持つ光ディスクの内外特性差や記録層が変化した際の記録特性変化に対し記録条件を最適化できるので、良好な記録特性を得ることができる。
【００８８】
尚、光ディスク200として周知のＤＶＤを用いたときは、ＯＰＣによりパワー調整とパルス調整を行うと共に、他の記録層に移動した際にβまたはアシンメトリを検出してパワー補正を行い、前後位相ずれ量を検出してパルス補正を行えばよい。また、光ディスク200として周知のＨＤ−ＤＶＤ或いはＢｌｕ−ｒａｙを用いたときは、ＯＰＣによりパワー調整とパルス調整を行うと共に、他の記録層に移動した際にアシンメトリを検出してパワー補正を行い、記録パターンに応じた振幅ずれ量を検出してパルス補正を行えばよい。
【００８９】
また、本実施例では最適記録条件と補正導出条件をメモリ127に記憶するようにしたが、光ディスク200に記録しておいて用いるようにしても良い。
【図面の簡単な説明】
【００９０】
【図１】本発明の一実施形態における光ディスクへのデータ記録装置の構成及び光ディスクを示す図
【図２】本発明の一実施形態における光ディスクの構成を示す図
【図３】本発明の実施例１における光ディスクへのデータ記録動作を説明するフローチャート
【図４】本発明の一実施形態における記録パワー設定に対するアシンメトリの変化傾向関数を説明する図
【図５】本発明の一実施形態におけるアシンメトリの算出方法を説明する図
【図６】本発明の一実施形態におけるβの算出方法を説明する図
【図７】本発明の一実施形態におけるアシンメトリに対するピット位相値の関係を説明する図
【図８】本発明の一実施形態におけるアシンメトリに対する振幅値の関係を説明する図
【図９】本発明の一実施形態における記録パルス位相に対するピット位相の関係を示す図
【図１０】本発明の一実施形態における記録パルスの位相ズレ量検出方法を説明する図
【図１１】本発明の一実施形態におけるストラテジ位相設定に対するピット位相の関係を説明する図
【図１２】本発明の一実施形態におけるストラテジ位相設定に対する振幅値の関係を説明する図
【図１３】本発明の一実施形態におけるアシンメトリと記録パワーの関係を説明する図
【図１４】本発明の一実施形態におけるピット位相とアシンメトリの関係を説明する図
【図１５】本発明の一実施形態におけるピット位相とストラテジ位相設定の関係を説明する図
【図１６】本発明の実施例２における光ディスクへのデータ記録動作を説明するフローチャート
【図１７】本発明の実施例２における内外感度差テーブルを示す図
【図１８】本発明の実施例２における内外感度差テーブルを示す図
【図１９】本発明の実施例３における光ディスクへのデータ記録動作を説明するフローチャート
【符号の説明】
【００９１】
100…光情報記録装置、110…光ピックアップ、111…レーザダイオード（ＬＤ）、112…フォトディテクタ（ＰＤ）、113…コリメートレンズ、114…対物レンズ、115…検出レンズ、116…ビームスプリッタ、121…ＬＤドライバ、122…スライサ、123…復調回路、124…特性値検出部、125…ワンチップＣＰＵ素子（ＣＰＵ）、125a…メモリ回路、125b…検出値演算部、125c…最適化判断部、125d…ストラテジ決定部、127…メモリ、128…インタフェース（Ｉ／Ｆ）、129…光ピックアップ駆動制御回路、131…表示部、132…操作部、200…光ディスク、201…データ記録エリア、202…リードインエリア、203…リードアウトエリア、204…ミドルエリア。
【図１】
2008041224.tif 000003
【図２】
2008041224.tif 000004
【図３】
2008041224.tif 000005
【図４】
2008041224.tif 000006
【図５】
2008041224.tif 000007
【図６】
2008041224.tif 000008
【図７】
2008041224.tif 000009
【図８】
2008041224.tif 000010
【図９】
2008041224.tif 000011
【図１０】
2008041224.tif 000012
【図１１】
2008041224.tif 000013
【図１２】
2008041224.tif 000014
【図１３】
2008041224.tif 000015
【図１４】
2008041224.tif 000016
【図１５】
2008041224.tif 000017
【図１６】
2008041224.tif 000018
【図１７】
2008041224.tif 000019
【図１８】
2008041224.tif 000020
【図１９】
2008041224.tif 000021